(57)【要約】  本開示の態様は、超高信頼低レイテンシ通信(URLLC)送信が拡張モバイルブロードバンド(eMBB)スロット内の現在のミニスロット内に存在するかどうかを示すワイヤレス通信のための指示チャネルを説明する。基地局は、指示メッセージがeMBBスロット内で送信されることになっていると決定し得る。指示メッセージは、eMBBスロットのミニスロットの少なくとも一部がURLLC送信のために使用されることを示し得る。基地局は、1つまたは複数のリソースを、ミニスロットの一部がURLLCのために使用されることになっているミニスロットと同じミニスロット内の指示チャネルに割り振り得る。基地局は、割り振られた1つまたは複数のリソースを使用して指示チャネル上のミニスロットの間に指示メッセージを送信し得る。UEは、指示チャネルを受信し、指示メッセージが受信されるかどうかに基づいてミニスロットの少なくとも一部を処理し得る。
2020506606.tif 000002
【特許請求の範囲】
【請求項１】
ワイヤレス通信の方法であって、
指示メッセージが拡張モバイルブロードバンド(eMBB)スロット内で送信されることになっていることを基地局によって決定するステップであって、前記eMBBスロットのミニスロットの少なくとも一部を示す前記指示メッセージが、超高信頼低レイテンシ通信(URLLC)送信のために使用される、ステップと、
前記決定に基づいて1つまたは複数のリソースを指示チャネルに割り振るステップであって、前記割り振られた1つまたは複数のリソースが、前記ミニスロットの前記一部が前記URLLC送信のために使用されることになっているミニスロットと同じミニスロット内にある、ステップと、
前記割り振られた1つまたは複数のリソースを使用して前記指示チャネル上の前記ミニスロットの間に前記指示メッセージを送信するステップとを含む、方法。
【請求項２】
前記ミニスロットの少なくとも前記一部の間に前記URLLC送信を送信するステップをさらに含む、請求項1に記載の方法。
【請求項３】
前記URLLC送信が、前記eMBBスロットの前記ミニスロットの少なくとも前記一部を使用してeMBBに対する送信をパンクチャリングする、請求項2に記載の方法。
【請求項４】
前記URLLC送信のために使用されることになっている前記ミニスロットの少なくとも前記一部が、近接セルによって送信されることになっており、前記指示メッセージが、前記近接セルからの前記URLLC送信による干渉に対処するのを支援するための情報を提供する、請求項1に記載の方法。
【請求項５】
前記eMBBスロットのどのミニスロットが前記指示チャネルのためにモニタされることになっているかを示す構成情報を送信するステップをさらに含む、請求項1に記載の方法。
【請求項６】
前記構成情報を送信する前記ステップが、セル固有の情報を送信するステップを含む、請求項5に記載の方法。
【請求項７】
前記構成情報を送信する前記ステップが、UE固有の情報を送信するステップを含む、請求項5に記載の方法。
【請求項８】
前記1つまたは複数リソースを前記指示チャネルに割り振る前記ステップが、前記eMBBスロット内のミニスロットのサブセット内の前記リソースを割り振るステップを含む、請求項1に記載の方法。
【請求項９】
前記指示メッセージが、前記eMBBスロットと同じヌメロロジーを使用する、請求項1に記載の方法。
【請求項１０】
前記指示メッセージを送信するステップが、前記指示メッセージを特定のUEまたは特定のUEのグループに送信するステップを含む、請求項1に記載の方法。
【請求項１１】
前記指示メッセージを送信するステップが、セル固有の指示メッセージをブロードキャストするステップを含む、請求項1に記載の方法。
【請求項１２】
前記指示メッセージが、前記URLLC送信がリソースブロックごとに存在するかまたはサブバンドベースごとに存在するかを示す、請求項1に記載の方法。
【請求項１３】
ワイヤレス通信の方法であって、
拡張モバイルブロードバンド(eMBB)スロットのミニスロットの間に指示チャネルをユーザ機器(UE)によってモニタするステップと、
指示メッセージが前記指示チャネル上で受信されるかどうかを決定するステップであって、前記ミニスロットの少なくとも一部を示す前記指示メッセージが、超高信頼低レイテンシ通信(URLLC)送信のために使用される、ステップと、
前記指示メッセージが受信されるかどうかに基づいて前記ミニスロットの少なくとも前記一部を処理するステップとを含む、方法。
【請求項１４】
前記処理するステップが、前記URLLC送信が前記ミニスロット内に存在することを前記指示メッセージが宣言するとき、前記ミニスロットの少なくとも前記一部に対応する対数尤度比(LLR)をゼロにするステップを含む、請求項13に記載の方法。
【請求項１５】
前記処理するステップが、前記URLLC送信が前記ミニスロット内に存在することを前記指示メッセージが宣言するとき、前記ミニスロットの処理を停止するステップを含む、請求項13に記載の方法。
【請求項１６】
前記処理するステップが、前記指示メッセージが前記ミニスロット内に受信されなかったとき、前記eMBBスロットを復号するために前記ミニスロットの少なくとも前記一部に対応するLLR値を記憶するステップを含む、請求項13に記載の方法。
【請求項１７】
前記処理するステップが、前記URLLC送信が前記ミニスロット内に存在することを前記指示メッセージが宣言するとき、前記ミニスロットの少なくとも前記一部の中に受信された前記URLLC送信を復号するステップを含む、請求項13に記載の方法。
【請求項１８】
前記処理するステップが、前記指示メッセージが前記ミニスロット内に受信されないとき、前記ミニスロットの前記一部に基づいて前記URLLC送信を復号しないことを決定するステップを含む、請求項13に記載の方法。
【請求項１９】
前記モニタするステップが、ミニスロットの構成されたサブセットをモニタするステップを含む、請求項13に記載の方法。
【請求項２０】
前記URLLC送信のために使用されることになっている前記ミニスロットの少なくとも前記一部が、近接セルによって送信されることになっており、前記指示メッセージが、前記近接セルからの前記URLLCによる干渉に対処するのを支援するための情報を提供する、請求項13に記載の方法。
【請求項２１】
前記モニタするステップが、前記指示チャネルに対する基地局の無線ネットワーク一時識別子(RNTI)に基づいて前記指示チャネルをモニタするステップを含む、請求項13に記載の方法。
【請求項２２】
前記モニタするステップが、近接セルのセットに関連する複数のRNTIに対して前記指示チャネルをブラインド復号するステップを含む、請求項21に記載の方法。
【請求項２３】
前記指示メッセージが、今後のミニスロットが別のURLLC送信のために使用されることになっていることを示し、前記方法が、前記今後のミニスロットの間に前にスケジュールされた送信を送信することを控えるステップをさらに含む、請求項13に記載の方法。
【請求項２４】
ワイヤレス通信のための基地局であって、
トランシーバと、
命令を記憶するように構成されたメモリと、
前記トランシーバおよび前記メモリと通信可能に結合された1つまたは複数のプロセッサとを備え、前記1つまたは複数のプロセッサが、
指示メッセージが拡張モバイルブロードバンド(eMBB)スロット内で送信されることになっていると決定することであって、前記eMBBスロットのミニスロットの少なくとも一部を示す前記指示メッセージが、超高信頼低レイテンシ通信(URLLC)送信のために使用される、決定することと、
前記決定に基づいて1つまたは複数のリソースを指示チャネルに割り振ることであって、前記割り振られた1つまたは複数のリソースが、前記ミニスロットの少なくとも前記一部が前記URLLC送信のために使用されることになっているミニスロットと同じミニスロット内にある、割り振ることと、
前記割り振られた1つまたは複数のリソースを使用して前記指示チャネル上の前記ミニスロットの間に前記指示メッセージを送信することとを行うために前記命令を実行するように構成される、基地局。
【請求項２５】
前記トランシーバが、前記ミニスロットの前記少なくとも前記一部の間に前記URLLC送信を送信するように構成される、請求項24に記載の基地局。
【請求項２６】
前記URLLC送信が、前記eMBBスロットの前記ミニスロットの少なくとも前記一部を使用してeMBBに対する送信をパンクチャリングする、請求項25に記載の基地局。
【請求項２７】
前記URLLC送信のために使用されることになっている前記ミニスロットの少なくとも前記一部が、近接セルによって送信されることになっており、前記指示メッセージが、前記近接セルからの前記URLLCによる干渉に対処するのを支援するための情報を提供する、請求項24に記載の基地局。
【請求項２８】
前記トランシーバが、前記eMBBスロットのどのミニスロットが前記指示チャネルのためにモニタされることになっているかを示す構成情報を送信するように構成される、請求項24に記載の基地局。
【請求項２９】
前記構成情報が、セル固有の情報を含む、請求項28に記載の基地局。
【請求項３０】
前記構成情報が、UE固有の情報を含む、請求項28に記載の基地局。
【請求項３１】
前記1つまたは複数のプロセッサが、前記eMBBスロット内のミニスロットのサブセット内の前記リソースを前記指示チャネルに割り振るように構成される、請求項24に記載の基地局。
【請求項３２】
前記指示メッセージが、前記eMBBスロットと同じヌメロロジーを使用する、請求項24に記載の基地局。
【請求項３３】
前記1つまたは複数のプロセッサが、前記指示メッセージを特定のUEまたは特定のUEのグループに送信するように構成される、請求項24に記載の基地局。
【請求項３４】
前記1つまたは複数のプロセッサが、セル固有の指示メッセージをブロードキャストするように構成される、請求項24に記載の基地局。
【請求項３５】
前記指示メッセージが、前記URLLC送信がリソースブロックごとに存在するかまたはサブバンドベースごとに存在するかを示す、請求項24に記載の基地局。
【請求項３６】
ワイヤレス通信のためのユーザ機器(UE)であって、
トランシーバと、
命令を記憶するように構成されたメモリと、
前記トランシーバおよび前記メモリと通信可能に結合された1つまたは複数のプロセッサとを備え、前記1つまたは複数のプロセッサが、
拡張モバイルブロードバンド(eMBB)スロットのミニスロットの間に指示チャネルをモニタすることと、
指示メッセージが前記指示チャネル上で受信されるかどうかを決定することであって、前記ミニスロットの少なくとも一部を示す前記指示メッセージが、超高信頼低レイテンシ通信(URLLC)送信のために使用される、決定することと、
前記指示メッセージが受信されるかどうかに基づいて前記ミニスロットの少なくとも前記一部を処理することとを行うために前記命令を実行するように構成される、UE。
【請求項３７】
前記1つまたは複数のプロセッサが、前記URLLC送信が前記ミニスロット内に存在することを前記指示メッセージが宣言するとき、前記ミニスロットの少なくとも前記一部に対応する対数尤度比(LLR)をゼロにするように構成される、請求項36に記載のUE。
【請求項３８】
前記1つまたは複数のプロセッサが、前記URLLC送信が前記ミニスロット内に存在することを前記指示メッセージが宣言するとき、前記ミニスロットの処理を停止するように構成される、請求項36に記載のUE。
【請求項３９】
前記1つまたは複数のプロセッサが、前記指示メッセージが前記ミニスロット内に受信されなかったとき、前記eMBBスロットを復号するために前記ミニスロットの少なくとも前記一部に対応するLLR値を記憶するように構成される、請求項36に記載のUE。
【請求項４０】
前記1つまたは複数のプロセッサが、前記URLLCが前記ミニスロット内に存在することを前記指示メッセージが宣言するとき、前記ミニスロットの少なくとも前記一部の中に受信されたURLLC送信を復号するように構成される、請求項36に記載のUE。
【請求項４１】
前記1つまたは複数のプロセッサが、前記指示メッセージが前記ミニスロット内に受信されないとき、前記ミニスロットの少なくとも前記一部に基づいて前記URLLC送信を復号しないことを決定するように構成される、請求項36に記載のUE。
【請求項４２】
前記1つまたは複数のプロセッサが、ミニスロットの構成されたサブセットをモニタするように構成される、請求項36に記載のUE。
【請求項４３】
前記URLLC送信のために使用されることになっている前記ミニスロットの少なくとも前記一部が、近接セルによって送信されることになっており、前記指示メッセージが、前記近接セルからの前記URLLC送信による干渉に対処するのを支援するための情報を提供する、請求項36に記載のUE。
【請求項４４】
前記1つまたは複数のプロセッサが、前記指示チャネルに対する基地局の無線ネットワーク一時識別子(RNTI)に基づいて前記指示チャネルをモニタするように構成される、請求項36に記載のUE。
【請求項４５】
前記1つまたは複数のプロセッサが、近接セルのセットに関連する複数のRNTIに対して前記指示チャネルをブラインド復号するように構成される、請求項44に記載のUE。
【請求項４６】
前記指示メッセージが、今後のミニスロットが別のURLLC送信のために使用されることになっていることを示し、前記1つまたは複数のプロセッサが、前記今後のミニスロットの間に前にスケジュールされた送信を送信することを控えるように構成される、請求項36に記載のUE。
【請求項４７】
コードを含むコンピュータ可読記憶媒体であって、前記コードが、指示メッセージが拡張モバイルブロードバンド(eMBB)スロット内で送信されることになっていることを基地局によって決定することであって、前記eMBBスロットのミニスロットの少なくとも一部を示す前記指示メッセージが、超高信頼低レイテンシ通信(URLLC)送信のために使用される、決定することと、
前記決定に基づいて1つまたは複数のリソースを指示チャネルに割り振ることであって、前記割り振られた1つまたは複数のリソースが、前記ミニスロットの少なくとも前記一部が前記URLLC送信のために使用されることになっているミニスロットと同じミニスロット内にある、割り振ることと、
前記割り振られた1つまたは複数のリソースを使用して前記指示チャネル上の前記ミニスロットの間に前記指示メッセージを送信することとを、1つまたは複数のプロセッサによって実行可能である、コンピュータ可読記憶媒体。
【請求項４８】
拡張モバイルブロードバンド(eMBB)スロットのミニスロットの間に指示チャネルをユーザ機器(UE)によってモニタすることと、
指示メッセージが前記指示チャネル上で受信されるかどうかを決定することであって、前記ミニスロットの少なくとも一部を示す前記指示メッセージが、超高信頼低レイテンシ通信(URLLC)送信のために使用される、決定することと、
前記指示メッセージが受信されるかどうかに基づいて前記ミニスロットの少なくとも前記一部を処理することとを、1つまたは複数のプロセッサによって実行可能であるコードを含む、コンピュータ可読記憶媒体。
【発明の詳細な説明】
【技術分野】
【０００１】
本特許出願は、本出願の譲受人に譲渡され、その全体が参照により本明細書に組み込まれる、2017年9月19日に出願された「CURRENT INDICATION CHANNEL FOR EMBB/URLLC MULTIPLEXING」と題する米国非仮出願第15/708,858号、および2017年2月6日に出願された「CURRENT INDICATION CHANNEL FOR EMBB/URLLC MULTIPLEXING」と題する米国仮出願第62/455,272号の優先権を主張する。
【０００２】
本開示の態様は、一般に、ワイヤレス通信システムに関し、より詳細には、リソースのセット内の多重化通信に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって、複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。たとえば、(5Gニューラジオ(5G NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンド(eMBB)と、レイテンシおよび信頼性についてのいくつかの仕様を有する超高信頼低レイテンシ通信(URLLC:ultra-reliable-low latency communications)と、非常に多数の被接続デバイスおよび比較的少量の遅延に影響されない情報の送信を可能にすることができるマッシブマシンタイプ通信とを含むことができる。しかしながら、モバイルブロードバンドアクセスに対する需要が増加し続けるにつれて、5G通信技術以降におけるさらなる改善が望まれ得る。
【発明の概要】
【発明が解決しようとする課題】
【０００５】
基地局は、同じリソースを使用してeMBBとURLLCの両方のサービスを提供し得る。eMBBまたはURLLCのサービスのうちの1つを受信するように構成されたユーザ機器(UE)は、1つまたは複数リソースがeMBBために使用されるかまたはURLLCのために使用されるかについて知らない場合がある。したがって、現在の通信に関する情報をUEに提供することが望ましい。
【課題を解決するための手段】
【０００６】
以下は、そのような態様の基本的理解を可能にするために、1つまたは複数の態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
一例によれば、本開示は、ワイヤレス通信のための指示チャネルを送信する方法を提供する。方法は、指示メッセージが指示チャネル上のeMBBスロット内で送信されることになっていることを基地局によって決定するステップを含み得る。指示メッセージは、eMBBスロットのミニスロットの少なくとも一部がURLLC送信のために使用されることになっていることを示し得る。方法は、その決定に基づいて1つまたは複数のリソースを指示チャネルに割り振るステップを含んでもよく、割り振られた1つまたは複数のリソースは、ミニスロットの少なくとも一部がURLLC送信のために使用されることになっているミニスロットと同じミニスロット内にある。方法は、割り振られた1つまたは複数のリソースを使用して指示チャネル上のミニスロットの間に指示メッセージを送信するステップを含み得る。
【０００８】
別の例によれば、本開示は、ワイヤレス通信のための指示チャネルを受信する方法を提供する。方法は、eMBBスロットのミニスロットの間に指示チャネルをUEによってモニタするステップを含み得る。方法は、指示メッセージが指示チャネル上で受信されるかどうかを決定するステップを含んでもよく、ミニスロットの少なくとも一部を示す指示メッセージは、URLLC送信のために使用される。方法は、指示メッセージが受信されるかどうかに基づいてミニスロットの少なくとも一部を処理するステップを含み得る。
【０００９】
さらなる態様では、トランシーバと、命令を記憶するように構成されたメモリと、トランシーバおよびメモリと通信可能に結合された1つまたは複数のプロセッサとを含む、ワイヤレス通信のための基地局が提供される。1つまたは複数のプロセッサは、指示メッセージがeMBBスロット内で送信されることになっていると決定するように構成され、eMBBスロットのミニスロットの少なくとも一部を示す指示メッセージは、URLLC送信のために使用される。1つまたは複数のプロセッサは、その決定に基づいて1つまたは複数のリソースを指示チャネルに割り振るように構成され、割り振られた1つまたは複数のリソースは、ミニスロットの少なくとも一部がURLLC送信のために使用されることになっているミニスロットと同じミニスロット内にある。1つまたは複数のプロセッサは、割り振られた1つまたは複数のリソースを使用して指示チャネル上のミニスロットの間に指示メッセージを送信するように構成される。
【００１０】
別の態様では、トランシーバと、命令を記憶するように構成されたメモリと、トランシーバおよびメモリと通信可能に結合された1つまたは複数のプロセッサとを含む、ワイヤレス通信のためのUEが提供される。1つまたは複数のプロセッサは、eMBBスロットのミニスロットの間に指示チャネルをモニタするように構成される。1つまたは複数のプロセッサは、指示メッセージが指示チャネル上で受信されるかどうかを決定するように構成され、ミニスロットの少なくとも一部を示す指示メッセージは、URLLC送信のために使用される。1つまたは複数のプロセッサは、指示メッセージが受信されるかどうかに基づいてミニスロットの少なくとも一部を処理するように構成される。
【００１１】
さらなる態様では、トランシーバと、命令を記憶するように構成されたメモリと、トランシーバおよびメモリと通信可能に結合された1つまたは複数のプロセッサとを含む、ワイヤレス通信のための基地局が提供される。基地局は、指示メッセージがeMBBスロット内で送信されることになっていると決定するための手段を含み、eMBBスロットのミニスロットの少なくとも一部を示す指示メッセージは、URLLC送信のために使用される。基地局は、その決定に基づいて1つまたは複数のリソースを指示チャネルに割り振るための手段を含み、割り振られた1つまたは複数のリソースは、ミニスロットの少なくとも一部がURLLC送信のために使用されることになっているミニスロットと同じミニスロット内にある。基地局は、割り振られた1つまたは複数のリソースを使用して指示チャネル上のミニスロットの間に指示メッセージを送信するための手段を含む。
【００１２】
別の態様では、トランシーバと、命令を記憶するように構成されたメモリと、トランシーバおよびメモリと通信可能に結合された1つまたは複数のプロセッサとを含む、ワイヤレス通信のためのUEが提供される。UEは、eMBBスロットのミニスロットの間に指示チャネルをモニタするための手段を含む。UEは、指示メッセージが指示チャネル上で受信されるかどうかを決定するための手段を含み、ミニスロットの少なくとも一部を示す指示メッセージは、URLLC送信のために使用される。UEは、指示メッセージが受信されるかどうかに基づいてミニスロットの少なくとも一部を処理するための手段を含む。
【００１３】
さらに別の態様では、基地局において1つまたは複数のプロセッサによって実行可能なコードを含む、コンピュータ可読媒体が提供される。コンピュータ可読媒体は、指示メッセージがeMBBスロット内で送信されることになっていると決定するためのコードを含み、eMBBスロットのミニスロットの少なくとも一部を示す指示メッセージは、URLLC送信のために使用される。コンピュータ可読媒体は、その決定に基づいて1つまたは複数のリソースを指示チャネルに割り振るためのコードを含み、割り振られた1つまたは複数のリソースは、ミニスロットの少なくとも一部がURLLC送信のために使用されることになっているミニスロットと同じミニスロット内にある。コンピュータ可読媒体は、割り振られた1つまたは複数のリソースを使用して指示チャネル上のミニスロットの間に指示メッセージを送信するためのコードを含む。
【００１４】
別の態様では、UEにおいて1つまたは複数のプロセッサによって実行可能なコードを含む、コンピュータ可読媒体が提供される。コンピュータ可読媒体は、eMBBスロットのミニスロットの間に指示チャネルをモニタするためのコードを含む。コンピュータ可読媒体は、指示メッセージが指示チャネル上で受信されるかどうかを決定するためのコードを含み、ミニスロットの少なくとも一部を示す指示メッセージは、URLLC送信のために使用される。コンピュータ可読媒体は、指示メッセージが受信されるかどうかに基づいてミニスロットの少なくとも一部を処理するためのコードを含む。
【００１５】
上記の目的および関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すものにすぎず、この説明は、そのようなすべての態様およびそれらの均等物を含むものとする。
【００１６】
開示する態様について、開示する態様を限定するためではなく例示するために提供される添付の図面に関して以下で説明し、同様の名称は同様の要素を示している。
【図面の簡単な説明】
【００１７】
【図１】本開示の様々な態様による、ワイヤレス通信システムの一例を示す図である。
【図２】本開示の様々な態様による、例示的な送信スロットを示す概念図である。
【図３】本開示の種々の態様による、指示チャネルを送信するための方法の一例を示す流れ図である。
【図４】本開示の種々の態様による、指示チャネルを受信するための方法の一例を示す流れ図である。
【図５】本開示の様々な態様による、ミニスロットを処理するための方法の一例を示す流れ図である。
【図６】図1のユーザ機器(UE)の例示的な構成要素の概略図である。
【図７】図1の基地局の例示的な構成要素の概略図である。
【発明を実施するための形態】
【００１８】
次に、図面を参照しながら様々な態様について説明する。以下の説明では、説明の目的で、1つまたは複数の態様の完全な理解を与えるために、多数の具体的な詳細が記載されている。しかしながら、そのような態様がこれらの具体的な詳細なしに実践される場合があることは明らかであろう。
【００１９】
記述した特徴は、一般に、URLLC送信が現在のミニスロット内に存在するかどうかの指示を提供する、eMBB通信とURLLC通信との間を多重化するための現在のミニスロット指示チャネルに関する。現在のミニスロット指示チャネルは、「現在指示チャネル」、「薄い(thin)指示チャネル」、「現在のミニスロット指示チャネル」、または単に「指示チャネル」と呼ばれることがある。一般に、eMBB通信は、スロットを含むフレーム構造上で動作してもよい。各スロットは、eMBBヌメロロジーによって定義される複数のシンボル(たとえば、OFDMシンボル)を含み得る。URLLC通信は、eMBB通信と異なるフレーム構造上で動作してもよく、ミニスロットと呼ばれることがある、より短い送信時間間隔を使用してもよい。一態様では、ミニスロットの持続時間は、eMBBヌメロロジーのシンボル期間であり得る。たとえば、URLLC通信は、eMBBヌメロロジーのシンボルより短い期間を有するシンボルを定義する第2のヌメロロジーを使用してもよい。したがって、eMBBスロットは、複数のミニスロットを含み得る。一態様では、URLLCヌメロロジーは、eMBBヌメロロジーに対して変倍される(be scaled)ことがある。たとえば、eMBBヌメロロジーのシンボル期間は、URLLCヌメロロジーのシンボル期間の倍数であり得る。したがって、URLLCシンボルの数は、eMBBシンボル期間の間に送信され得る。
【００２０】
URLLCトラフィックのより短い持続時間およびバースト的性質のために、基地局は、進行中のeMBBスロット内でURLLCトラフィックをスケジュールしてもよい。さらに、基地局は、時間および周波数のリソースをeMBB送信またはURLLC送信のいずれかに割り振ってもよい。URLLCトラフィックが進行中のeMBBスロットの間に送信される必要があるとき、eMBBトラフィックにすでに割り当てられているいくつかのリソースは、URLLC送信に対応するために中断される必要がある場合がある。詳細には、基地局は、レイテンシ限界内でURLLC送信を送信するために、eMBB送信をパンクチャリングする場合がある。本明細書で使用する「パンクチャリングする」という用語は、1つまたは複数のリソース上で前にスケジュールされたeMBB送信を送信する代わりに、1つまたは複数のリソース上でURLLC送信を送信することを指す場合がある。
【００２１】
一態様では、本開示は、現在のミニスロット内のリソースがURLLC送信によってパンクチャリングされているかどうかをUEに示すメッセージを搬送し得る指示チャネルを提供する。したがって、eMBB送信を受信するように構成されたUE(すなわち、eMBB UE)は、復号を改善するために、パンクチャリングされたリソースを無視してもよい。たとえば、UEは、パンクチャリングされたリソースに対応する対数尤度比をゼロに設定してもよい。URLLC送信を受信するように構成されたUE(すなわち、URLLC UE)は、URLLC送信がミニスロットの一部から復号されるべきかどうかを決定するために、現在のミニスロット指示メッセージを使用し得る。メッセージが復号されていないかまたはURLLC送信が示されていない場合、URLLC UEは、ミニスロットの一部を復号しないことによって電力を節約し得る。
【００２２】
説明する特徴は、図1〜図7を参照して以下でより詳細に提示される。
【００２３】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなどの、コンピュータ関連エンティティを含むものとする。たとえば、構成要素は、限定はしないが、プロセッサ上で実行されるプロセス、プロセッサ、オブジェクト、実行ファイル、実行のスレッド、プログラム、および/またはコンピュータであってもよい。例として、コンピューティングデバイス上で動作するアプリケーションおよびコンピューティングデバイスの両方が、構成要素であってもよい。1つまたは複数のコンポーネントが、プロセスおよび/または実行スレッド内に存在してよく、1つのコンポーネントが、1つのコンピュータ上に配置されてよく、かつ/または2つ以上のコンピュータ間に分散されてよい。さらに、これらの構成要素は、様々なデータ構造を記憶した様々なコンピュータ可読媒体から実行することができる。これらのコンポーネントは、信号によって、ローカルシステム、分散システム内の別のコンポーネントと対話し、かつ/またはインターネットなどのネットワークを介して他のシステムと対話する1つのコンポーネントからのデータのような1つまたは複数のデータパケットを有する信号に従うことなどによって、ローカルプロセスおよび/またはリモートプロセスによって通信し得る。
【００２４】
本明細書で説明された技法は、CDMA、TDMA、FDMA、OFDMA、SC-FDMA、および他のシステムなどの様々なワイヤレス通信システムのために使用され得る。「システム」および「ネットワーク」という用語は、しばしば互換的に使用される場合がある。CDMAシステムは、CDMA2000、ユニバーサル地上波無線アクセス(UTRA)などの無線技術を実装してよい。CDMA2000は、IS-2000規格、IS-95規格、およびIS-856規格を対象とする。IS-2000リリース0およびAは一般に、CDMA2000 1X、1Xなどと呼ばれる。IS-856(TIA-856)は、一般にCDMA2000 1xEV-DO、高速パケットデータ(HRPD)などと呼ばれる。UTRAは、広帯域CDMA(WCDMA(登録商標))、およびCDMAの他の変形態を含む。TDMAシステムは、GSM(登録商標)(Global System for Mobile communications)などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装してもよい。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-AおよびGSM(登録商標)は、「第3世代パートナーシッププロジェクト」(3GPP)と称する団体による文書に記載されている。CDMA2000およびUMBは、「第3世代パートナーシッププロジェクト2」(3GPP2)と称する団体による文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に(たとえば、5Gネットワークまたは他の次世代通信システムに)適用可能である。
【００２５】
以下の説明は例を提供するものであり、特許請求の範囲に記載される範囲、適用可能性、または例を限定するものではない。本開示の範囲から逸脱することなく、説明する要素の機能および構成に変更が加えられることがある。様々な例は、必要に応じて、様々な手順または構成要素を省略し、置換し、または追加することがある。たとえば、説明する方法は、説明する方法とは異なる順序で実行されることがあり、様々なステップが追加され、省略され、または結合されることがある。また、いくつかの例に関して説明する特徴が、他の例では組み合わされることがある。
【００２６】
様々な態様または特徴は、いくつかのデバイス、構成要素、モジュールなどを含み得るシステムに関して提示される。様々なシステムは、追加のデバイス、構成要素、モジュールなどを含むことができ、かつ/または、図に関連して論じられるデバイス、構成要素、モジュールなどのすべてを含まなくてもよいことを、理解および認識されたい。これらの手法の組合せも使用され得る。
【００２７】
図1を参照すると、本開示の様々な態様によれば、例示的なワイヤレス通信ネットワーク100は、UE110が、現在のミニスロットがURLLC送信を含む指示チャネル上の指示メッセージを受信したかどうかを決定する指示構成要素150を有するモデム140を備える少なくとも1つのUE110を含む。指示構成要素150は、eMBBスロット内のミニスロットの間に指示チャネルをモニタするためのモニタリング構成要素152と、指示メッセージが指示チャネル上で受信されるかどうかを決定するための復号構成要素154と、指示メッセージが受信されるかどうかに基づいてミニスロットの少なくとも一部を処理するための少なくとも1つの対数尤度比(LLR)バッファ156とを含み得る。さらに、ワイヤレス通信ネットワーク100は、現在のミニスロットがURLLC通信を含むかどうかに関する指示メッセージを送信する多重化構成要素170を有するモデム160を備える少なくとも1つの基地局105を含む。多重化構成要素170は、指示メッセージがeMBBスロット内で送信されることになっていると決定するための指示構成要素172と、1つまたは複数のリソースを指示チャネルに割り振るための割振り構成要素174と、ミニスロットの間に指示メッセージを送信するための送信構成要素176とを含み得る。したがって、本開示によれば、基地局105は、URLLC送信をeMBBリソース上に多重化し、UEが復号するのを支援するためのURLLC送信を現在のミニスロットが含むかどうかを1つまたは複数のUEに示し得る。
【００２８】
ワイヤレス通信ネットワーク100は、1つまたは複数の基地局105と、1つまたは複数のUE110と、コアネットワーク115とを含み得る。コアネットワーク115は、ユーザ認証、アクセス許可、トラッキング、インターネットプロトコル(IP)接続性、および他のアクセス機能、ルーティング機能、またはモビリティ機能を提供し得る。基地局105は、バックホールリンク120(たとえば、S1など)を通してコアネットワーク115とインターフェースしてもよい。基地局105は、UE110との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク125(たとえば、X1など)を介して、直接的または間接的のいずれかで(たとえば、コアネットワーク115を通して)、互いに通信し得る。
【００２９】
基地局105は、1つまたは複数の基地局アンテナを介してUE110とワイヤレス通信してもよい。基地局105の各々は、それぞれの地理的カバレージエリア130に通信カバレージを与え得る。いくつかの例では、基地局105は、基地トランシーバ局、無線基地局、アクセスポイント、アクセスノード、無線トランシーバ、ノードB、eノードB(eNB)、gNB、ホームノードB、ホームeノードB、リレー、または何らかの他の好適な用語で呼ばれることがある。基地局105のための地理的カバレージエリア130は、カバレージエリアの一部分のみを構成するセクタまたはセル(図示せず)に分割され得る。ワイヤレス通信ネットワーク100は、異なるタイプの基地局105(たとえば、以下で説明するマクロ基地局またはスモールセル基地局)を含み得る。加えて、複数の基地局105は、複数の通信技術(たとえば、5G(ニューラジオまたは「NR」)、第4世代(4G)/LTE、3G、Wi-Fi、Bluetooth(登録商標)など)のうちの異なる通信技術に従って動作することがあり、したがって、異なる通信技術のための重複する地理的カバレージエリア130があり得る。
【００３０】
いくつかの例では、ワイヤレス通信ネットワーク100は、NRもしくは5G技術、ロングタームエボリューション(LTE)もしくはLTEアドバンスト(LTE-A)もしくはMuLTEfire技術、Wi-Fi技術、Bluetooth(登録商標)技術、または任意の他の長距離もしくは短距離ワイヤレス通信技術を含む通信技術のうちの1つまたは任意の組合せであり得るか、またはそれらを含み得る。LTE/LTE-A/MuLTEfireネットワークでは、発展型ノードB(eNB)という用語は、一般に基地局105を表すために使用され得るが、UEという用語は、一般にUE110を表すために使用され得る。ワイヤレス通信ネットワーク100は、異なるタイプのeNBが様々な地理的領域にカバレージを提供する異種技術ネットワークであり得る。たとえば、各eNBまたは基地局105は、マクロセル、スモールセル、または他のタイプのセルに通信カバレージを与え得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る、3GPP用語である。
【００３１】
マクロセルは、一般に、比較的大きい地理的エリア(たとえば、半径数キロメートル)をカバーすることができ、ネットワークプロバイダのサービスに加入しているUE110による無制限アクセスを可能にし得る。
【００３２】
スモールセルは、マクロセルと比較すると、マクロセルと同じまたはマクロセルとは異なる(たとえば、認可、無認可などの)周波数帯域で動作し得る比較的低い送信電力基地局を含み得る。スモールセルは、様々な例によれば、ピコセル、フェムトセル、およびマイクロセルを含む場合がある。ピコセルは、たとえば、小さい地理的エリアをカバーすることができ、ネットワークプロバイダのサービスに加入しているUE110による無制限アクセスを許容し得る。フェムトセルも、小さい地理的エリア(たとえば、自宅)をカバーすることができ、フェムトセルとの関連付けを有するUE110(たとえば、制限付きアクセスの場合、自宅内のユーザのためのUE110を含み得る、基地局105の限定加入者グループ(CSG)内のUE110など)による制限付きアクセスおよび/または無制限アクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートすることができる。
【００３３】
様々な開示される例のうちのいくつかに適応し得る通信ネットワークは、階層化プロトコルスタックに従って動作するパケットベースネットワークであり得、ユーザプレーン中のデータはIPに基づき得る。ユーザプレーンプロトコルスタック(たとえば、パケットデータコンバージェンスプロトコル(PDCP)、無線リンク制御(RLC)、MACなど)は、論理チャネルを介して通信するためにパケットセグメント化およびパケットリアセンブリを実行し得る。たとえば、MACレイヤは、優先処理と、トランスポートチャネルへの論理チャネルの多重化とを実行し得る。MACレイヤはまた、リンク効率を改善するために、ハイブリッド自動再送要求(HARQ)を使用してMACレイヤにおける再送信を行ってよい。制御プレーンでは、RRCプロトコルレイヤは、UE110と基地局105との間のRRC接続の確立、構成、および維持を行い得る。RRCプロトコルレイヤはまた、ユーザプレーンデータのための無線ベアラのコアネットワーク115サポートに使用され得る。物理(PHY)レイヤにおいて、トランスポートチャネルが物理チャネルにマッピングされ得る。
【００３４】
UE110は、ワイヤレス通信ネットワーク100全体にわたって分散している場合があり、各UE110は固定またはモバイルである場合がある。UE110は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語も含むか、あるいはそのように当業者によって呼ばれることもある。UE110は、セルラーフォン、スマートフォン、携帯情報端末(PDA)、ワイヤレスモデム、ワイヤレス通信デバイス、ハンドヘルドデバイス、タブレットコンピュータ、ラップトップコンピュータ、コードレスフォン、スマートウォッチ、ワイヤレスローカルループ(WLL)局、エンターテイメントデバイス、車両の部品、顧客構内機器(CPE)、またはワイヤレス通信ネットワーク100において通信することができる任意のデバイスであり得る。加えて、UE110は、いくつかの態様では、ワイヤレス通信ネットワーク100または他のUEとまれに通信し得る、モノのインターネット(IoT)および/またはマシンツーマシン(M2M)タイプのデバイス、たとえば、低電力、低データレート(たとえば、ワイヤレスフォンと比較して)タイプのデバイスであり得る。UE110は、マクロeNB、スモールセルeNB、マクロgNB、スモールセルgNB、中継基地局などを含む、様々なタイプの基地局105およびネットワーク機器と通信することが可能な場合がある。
【００３５】
UE110は、1つまたは複数の基地局105と1つまたは複数のワイヤレス通信リンク135を確立するように構成され得る。ワイヤレス通信ネットワーク100内に示されているワイヤレス通信リンク135は、UE110から基地局105へのアップリンク(UL)送信、または基地局105からUE110へのダウンリンク(DL)送信を搬送し得る。ダウンリンク送信は、順方向リンク送信と呼ばれることもあり、アップリンク送信は、逆方向リンク送信と呼ばれることもある。各ワイヤレス通信リンク135は、1つまたは複数のキャリアを含むことがあり、各キャリアは、上記で説明した様々な無線技術に従って変調された複数のサブキャリア(たとえば、異なる周波数の波形信号)からなる信号であり得る。各被変調信号は、異なるサブキャリア上で送られてもよく、制御情報(たとえば、基準信号、制御チャネルなど)、オーバーヘッド情報、ユーザデータなどを搬送し得る。一態様では、ワイヤレス通信リンク135は、周波数分割複信(FDD)動作を使用して(たとえば、対スペクトルリソースを使用して)または時分割複信(TDD)動作を使用して(たとえば、不対スペクトルリソースを使用して)双方向通信を送信し得る。フレーム構造が、FDD(たとえば、フレーム構造タイプ1)およびTDD(たとえば、フレーム構造タイプ2)のために定義され得る。その上、いくつかの態様では、ワイヤレス通信リンク135は、1つまたは複数のブロードキャストチャネルを表し得る。
【００３６】
ワイヤレス通信ネットワーク100のいくつかの態様では、基地局105またはUE110は、アンテナダイバーシティ方式を採用して基地局105とUE110との間の通信品質および信頼性を改善するための複数のアンテナを含み得る。追加または代替として、基地局105またはUE110は、同じまたは異なるコード化データを搬送する複数の空間レイヤを送信するためにマルチパス環境を利用し得る、多入力多出力(MIMO)技法を採用し得る。
【００３７】
ワイヤレス通信ネットワーク100は、複数のセルまたはキャリア上での動作、すなわち、キャリアアグリゲーション(CA)またはマルチキャリア動作と呼ばれることがある特徴をサポートし得る。キャリアはまた、コンポーネントキャリア(CC)、レイヤ、チャネルなどと呼ばれ得る。「キャリア」、「コンポーネントキャリア」、「セル」、および「チャネル」という用語は、本明細書では互換的に使用され得る。UE110は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方とともに使用され得る。基地局105およびUE110は、各方向における送信に使用される合計YxMHz(x=コンポーネントキャリアの数)までのキャリアアグリゲーションにおいて割り振られた、キャリア当たりY MHz(たとえば、Y=5、10、15、または20MHz)までの帯域幅のスペクトルを使用することができる。キャリアは、互いに隣接することも、隣接しないこともある。キャリアの割振りは、DLおよびULに対して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含み得る。1次コンポーネントキャリアは1次セル(PCell)と呼ばれることがあり、2次コンポーネントキャリアは2次セル(SCell)と呼ばれることがある。
【００３８】
ワイヤレス通信ネットワーク100は、無認可周波数スペクトル(たとえば、5GHz)における通信リンクを介して、Wi-Fi技術に従って動作するUE110、たとえば、Wi-Fi局(STA)と通信している、Wi-Fi技術に従って動作する基地局105、たとえば、Wi-Fiアクセスポイントをさらに含み得る。無認可周波数スペクトル内で通信するとき、STAおよびAPは、チャネルが利用可能であるかどうかを判定するために、通信するのに先立ってクリアチャネルアセスメント(CCA)またはリッスンビフォアトーク(LBT)手順を実行することができる。
【００３９】
加えて、基地局105および/またはUE110のうちの1つまたは複数は、ミリメートル波(mmWまたはmmwave)技術と呼ばれるNRすなわち5G技術に従って動作し得る。たとえば、mmW技術は、mmW周波数および/または準mmW周波数での送信を含む。極高周波数(EHF:extremely high frequency)は、電磁スペクトル内の無線周波数(RF)の一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。たとえば、超高周波数(SHF:super high frequency)帯域は、3GHzから30GHzの間におよび、センチメートル波とも呼ばれることもある。mmWおよび/または準mmW無線周波数帯域を使用する通信は、極めて高い経路損失および短い距離を有する。したがって、mmW技術に従って動作する基地局105および/またはUE110は、極めて高い経路損失および短い距離を補償するためにその送信においてビームフォーミングを利用することができる。
【００４０】
次に図2〜図7を参照すると、本明細書で説明するアクションまたは動作を実行することができる1つまたは複数の構成要素および1つまたは複数の方法に関して態様が示されており、破線の態様は随意であり得る。図3および図4において以下で説明する動作は、特定の順序でおよび/または例示的な構成要素によって実行されるものとして提示されるが、アクションの順序およびアクションを実行する構成要素は、実装形態に応じて変更され得ることを理解されたい。さらに、以下のアクション、機能、および/または説明する構成要素は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および/またはソフトウェア構成要素の任意の他の組合せによって実行され得ることを理解されたい。
【００４１】
図2は、URLLC送信と多重化されたeMBBスロット200の一例を示すリソース図を示す。時間領域において、eMBBスロット200は、複数のeMBBシンボル期間210を含み得る。たとえば、示されたeMBBスロット200は、10個のeMBBシンボル期間210を含む。周波数領域において、帯域幅は、サブキャリアに分割され得る。OFDMヌメロロジーは、シンボル期間と、直交シンボルを生成するサブキャリア間隔との組合せを含み得る。サブキャリアとシンボル期間との組合せは、基地局105によって割り振られ得るリソース要素(RE)と呼ばれることがある。eMBBスロット200内のeMBB送信は、eMBB制御チャネル220とeMBBデータチャネル230とを含み得る。
【００４２】
一態様では、基地局105は、eMBB送信の1つまたは複数のシンボルをパンクチャリングすることによって、URLLC送信とeMBB送信とを多重化し得る。たとえば、基地局105は、eMBB送信のスケジュールされたシンボルの代わりに、URLLC制御チャネル240とURLLCデータチャネル250とを送信し得る。一態様では、URLLC送信は、eMBBシンボル期間210に等しい持続時間を有し得るミニスロット215の間に送信され得る。したがって、URLLC送信は、いくつかのREをパンクチャリングし得る。スケジュールされたeMBB送信をパンクチャリングすることによって、たとえば、URLLC送信は次のeMBBスロットを待つ必要がないので、基地局は、URLLC送信に対する低レイテンシ要件を満足し得る。しかしながら、eMBB送信のパンクチャリングは、同様に、eMBB送信を受信しようとするUEに影響を及ぼす場合がある。詳細には、eMBB送信がパンクチャリングされていることにUEが気づかない場合、UEは、URLLC送信に基づいてeMBB送信を復号しようとする場合がある。URLLC送信は異なるフォーマットを使用する異なるデータを搬送しているので、URLLC送信をeMBBシンボルとして復号しようとすることで、他のシンボルと組み合わされたときに、eMBB送信を正確に復号する機会が低下する場合がある。UEは、URLLC送信のコンテンツを無視することによってeMBB送信の復号性能を改善させ得る。
【００４３】
本開示の一態様によれば、指示チャネル260は、現在のミニスロットがURLLC送信を含むかどうかをUEに通知するために設けられ得る。指示チャネル260は、eMBBスロット200内の構成された予約済みのリソースのセット上で送信され得る。一態様では、リソース使用状況の観点から、eMBBスロット内のすべてのミニスロットにわたって指示チャネル260を送信することは、著しいオーバーヘッドを招く場合がある。任意のミニスロット内の指示チャネル260の存在は、構成可能であり得る。構成されたリソースは、半静的に(たとえば、RRCシグナリングを介して)または動的に(たとえば、PDCCHなどのeMBB制御チャネルを介して)のいずれかでユーザに示され得る。ダウンリンクeMBBおよびURLLC送信は、指示チャネル260のために予約済みの構成されたリソースの周りにレートマッチングされ得る。たとえば、図2に示すように、指示チャネル260は、eMBBスロット200の第3、第6および第9のミニスロット215内に構成される。指示メッセージ262は、URLLC送信の存在を示すために、第6および第9のミニスロット215内で送信され得る。指示チャネル260が構成されるが、URLLC送信が発生しないミニスロットでは、周波数リソースは、eMBB送信のために使用され得る。たとえば、第3のミニスロットでは、eMBB送信は、指示チャネル260の周囲にレートマッチングされ得る。
【００４４】
一態様では、指示チャネル260を可能にする1つの目的は、UEに割り当てられたどの時間/周波数リソースがURLLCトラフィックによってパンクチャリングされているかを、eMBB通信のために構成されたUE(eMBB UEとも呼ばれる)が推測することである。したがって、指示チャネル260は、eMBB UEにおいて復号可能であり得る。たとえば、指示チャネル260は、eMBBサービスのヌメロロジーに従ってもよい。指示チャネル260は、現在のミニスロットの一部が、指示メッセージ262を含むことによってURLLC送信のために使用されているかどうかを宣言し得る。たとえば、第3のミニスロット内の指示チャネル260は、URLLC送信が存在しないことを示し、第6および第9のミニスロット内の指示チャネル260は、指示メッセージ262を使用するURLLC送信が存在することを宣言し得る。一態様では、基地局105は、URLLCが現在のミニスロット内(たとえば、第3のミニスロット内)に存在しないとき、指示メッセージ262を送信しない。
【００４５】
一態様では、現在指示チャネルを復号することも、URLLCユーザにとって有用であり得る。たとえば、現在指示チャネルは、URLLC送信が存在するかどうかを、URLLCのために構成されたUE(URLLC UEとも呼ばれる)に示し得る。URLLC UEは、URLLC送信が存在するときだけ、ミニスロットを復号し得る。URLLC UEは、URLLC送信が存在しないときにそのような送信を復号するための不必要な試みを回避することによって電力を節約し得る。詳細には、URLLC UEは、指示チャネル260を復号することが、URLLC制御チャネル240を復号するより容易であるときに、節約を実現し得る。しかしながら、現在指示チャネルを復号することは、すべてのURLLCユーザにとって実現可能であるとは限らない。たとえば、UEは、URLLCおよびeMBBの送信のために使用されるヌメロロジーに応じて、現在指示チャネルを復号することができないことがある。UEは、UE110がURLLC通信用に構成されるときに現在指示チャネルを復号することを試みるかどうかに関するUE能力指示を提供してもよい。
【００４６】
指示チャネル260は、ブロードキャスト方式またはユニキャスト方式のいずれかで送信され得る。ブロードキャスト方式で送信されるとき、すべてのeMBBユーザは、指示チャネル260を復号すること、および指示チャネル260から利益を得ることが可能である。したがって、指示チャネル260は、現在のミニスロット内にURLLCトラフィックの存在を示すのみである。指示チャネル260は、リソースブロックごと(PRB)のレベルにおいて、またはサブバンドごとに適用可能であり得る。URLLCユーザはまた、ブロードキャスト指示チャネル260を復号することが可能であり得る。ユニキャスト方式で送信されるとき、現在のミニスロット指示チャネルは、特定のUEまたはUEのグループに対して情報を提供し得る。他のUEは、指示チャネル260を使用することはできない。意図されたユーザは、指示チャネル260を復号して、どの時間/周波数リソースがパンクチャリングされたかを推測し得る。ユニキャストの現在のミニスロット指示チャネルは、1つのeMBB UEまたはeMBB UEのグループに対して意図されているので、URLLCユーザは、ユニキャスト指示チャネル260を復号することはできない。
【００４７】
現在指示チャネルは、動的に構成可能であり得る。基地局105は、必要なときだけ現在指示チャネルを送信してもよい。たとえば、現在指示チャネルの構成は、URLLCトラフィックの現在のレベルに基づき得る。基地局に対する現在のURLLCユーザがない場合、基地局は、リソースを指示チャネル260のために保存しない。代わりに、これらのリソースは、ダウンリンクeMBB送信のために使用することができる。基地局に対するURLLCユーザがある場合、基地局105は、URLLCサービスの必要性に基づいて現在指示チャネルを構成し得る。基地局105は、eMBBスロット200の1つまたは複数のミニスロット内に指示チャネル260を提供し得る。たとえば、図2に示すように、指示チャネル260は、第3、第6および第9のミニスロット内に提供され得る。
【００４８】
一態様では、eMBB UEまたはURLLC UEのいずれかは、特定のミニスロットが指示チャネルを含むかどうかについて知らない場合がある。指示チャネル260は、静的なリソースのセットを使用するように事前設定され得る。eMBB UEとURLLC UEの両方は、事前設定された指示チャネル260をモニタし得る。たとえば、UE110は、指示チャネル260の事前設定されたリソースを復号することを試みる場合がある。eMBB UEが、指示チャネル260上で指示メッセージ262を検出しない場合、eMBB UEは、ミニスロットにわたって信号を受信してもよく、対応するLLRを復号する目的でLLRバッファ156内に記憶してもよい。対照的に、URLLC UEが指示チャネル260上で指示メッセージ262を検出しない場合、URLLC UEは、ミニスロットにわたってURLLC制御/データチャネルを受信することはない。一方、eMBB UEが指示チャネル260上で指示メッセージ262を検出する場合、eMBB UEは、ミニスロットに対応するLLR値を無視してもよい。たとえば、UE110は、記憶されているLLR値を0に設定してもよく、または記憶されているLLR値が0であるかのように行動してもよい。URLLC UEが、指示チャネル260上で指示メッセージ262を検出する場合、URLLC UEは、ミニスロットにわたってURLLC制御/データチャネルを受信してもよく、LLR値を復号するためにLLRバッファ156内に記憶してもよい。
【００４９】
別の態様では、基地局105は、指示チャネル構成に関する情報をUE110に提供し得る。基地局105は、URLLC送信のための各eMBBスロット内にミニスロットのサブセットを構成し得る。基地局105は、URLLC送信のために潜在的に使用され得るミニスロットの数を制限してもよい。基地局105は、低減される指示チャネル260のオーバーヘッドのために、URLLC送信上でいくらかのレイテンシ(いくつかのミニスロットの程度)をトレードオフしてもよい。さらに、潜在的なミニスロットの数を制限することは、オフの(たとえば、第1および第2の)ミニスロットにわたって指示チャネル260をモニタしないことによって、eMBB UEとURLLC UEの両方が電力を節約するのを助けることができる。
【００５０】
基地局105は、いくつかの方法で指示チャネル構成を提供し得る。たとえば、基地局105は、セル固有の方式で指示チャネル構成を、(たとえば、システム情報ブロック(SIB)を使用して)その構成をすべてのユーザにブロードキャストすることによって提供し得る。指示チャネル構成の潜在的なミニスロットがセル固有の方式で示されるとき、eMBB UEとURLLC UEの両方は、構成されたミニスロットにわたって指示チャネルのみをモニタすることによって電力を節約し得る。別の例として、基地局105は、UE固有の方式における指示チャネル構成を動的に(たとえば、PDCCHを介して)または上位レイヤシグナリング(たとえば、RRCシグナリング)を介して半静的にのいずれかで提供し得る。UE固有のシグナリングは、URLLCユーザにとってより有益であり得る。たとえば、各URLLC UEは、特定のURLLC UEに対して構成されたミニスロットのセットのみにわたって指示チャネルをモニタすればよい。したがって、URLLC UEは、URLLC UEに対するオンのミニスロット(ON mini-slot)の間にマイクロスリープすることが可能であり得る。しかしながら、その構成は、eMBB UEにとってほとんど役立たない。なぜならば、eMBB UEは、すべての潜在的に構成されるミニスロットにわたって指示チャネル260をモニタする必要があり、したがって節約はセル固有の指示と同じであるからである。
【００５１】
一態様では、eMBB UEは、指示チャネル260をモニタすることを要求されない。代わりに、eMBB UEは、UE能力および他の構成設定に基づいて指示チャネル260をモニタするように構成され得る。たとえば、UE110に対するハイブリッド自動再送要求(HARQ)タイミングが十分に大きい(たとえば、数スロット)場合、eMBB UEは、ミニスロットを復号しようと試みる前に、後の指示チャネルを待つことが可能であり得る。別の例として、eMBB UEに対して構成されたタイミングアドバンスが小さい場合、UE110は、指示チャネルをモニタする必要はなく、代わりに、URLLCパンクチャリングに関する情報を獲得するために後の指示チャネルに依存してもよい。しかしながら、いくつかの構成では、eMBB UEが、パンクチャリングされたリソースの周囲でレートマッチングを決定するために、現在指示チャネルおよび後の指示チャネルから情報を取得する必要がある場合に、ハイブリッド指示方式が採用されることがある。
【００５２】
一態様では、指示チャネル260は、サービングセルに対してスケジュールされたURLLC送信に関する情報の代わりにまたはそれに加えて、近接セルに対してスケジュールされたURLLC送信に関する情報を提供するために使用されてもよい。サービングセル上のURLLC送信は、eMBB通信をパンクチャリングして、ミニスロット内で受信されたた信号を復号するのに使用できなくする場合がある。近接セルからのURLLC送信は、eMBB UEにおいて、サービングセルからのeMBB通信に対する干渉を生成する場合がある。指示チャネル260は、近接セルからの推定される干渉電力、たとえばURLLC UEをサービスするために近接セルで使用される時間および周波数のリソースの指示を提供し得る。詳細には、セルエッジユーザは、近接セルのURLLC通信から著しいバースト性干渉をより受けやすい可能性がある。指示チャネル260は、UE固有の干渉指示を提供するために使用され得る。代替的に、セル固有の指示は、すべてのUEに干渉のレベルを通知するために、またはUEは示されたミニスロットにわたって有用なデータを期待すべきでない(パンクチャリングと同様)ことを示すために提供されてもよい。
【００５３】
一態様では、近接セル情報を伝達する指示チャネル260は、サービング基地局または近接基地局のいずれかからUEによって取得され得る。サービング基地局105は、バックホール通信を介してURLLC時間/周波数リソース割当てを調整し得る。次いで、基地局105は、近接セルによって使用されるリソースをeMBB UEに伝達するために指示チャネル260を使用し得る。UE110は、指示チャネル探索空間をモニタすることによって、1つまたは複数の近接セルから指示チャネル260を直接取得し得る。各基地局または各セルは、現在指示無線ネットワーク一時識別子(CI-RNTI)に関連付けられ得る。UEは、近接基地局のCI-RNTIのセットを取得し得る。次いで、UEは、UE自体のサービングセルの指示チャネル260のみならず、CI-RNTIのセットを使用する他のセルの指示チャネル260をもブラインド復号することを試みる場合がある。
【００５４】
一態様では、指示チャネル260は、アップリンク内のeMBB/URLLC多重化のためにも使用され得る。ダウンリンク上の指示チャネル260をモニタすることによって、eMBB UEは、アップリンク内でeMBB UEにすでに割り当てられているいくつかのリソースが、アップリンク内のURLLC UEによって使用されることになっていることを通知され得る。たとえば、指示チャネルは、eMBBスロット200内にあり得る、今後のミニスロット内のリソースの割当ての指示を含む場合がある。たとえば第6のミニスロット内で受信されたた指示メッセージ262は、第9のミニスロット内のリソースが、アップリンクURLLC送信のために使用されることになっていることを示し得る。したがって、eMBB UEは、示されたリソースを使用する今後のミニスロット内で送信することを控える場合がある。
【００５５】
図3を参照すると、たとえば、指示チャネルを送信するための上記で説明した態様に従って動作する基地局105内のワイヤレス通信の方法300は、本明細書で定義するアクションのうちの1つまたは複数を含む。アクションは、プロセッサ712(図7)など、基地局105のプロセッサによって実行され得る。
【００５６】
たとえば、ブロック310において、方法300は、eMBBスロットのどのミニスロットが指示チャネルのためにモニタされることになっているかを示す構成情報を送信するステップを随意に含む。たとえば、一態様では、基地局105は、本明細書で説明するように、eMBBスロットのどのミニスロットが指示チャネルのためにモニタされることになっているかを示す構成情報を送信するために、多重化構成要素170を実行してもよい。たとえば、多重化構成要素170は、RRC構成メッセージ内、またはeMBB制御チャネル上の構成情報を送信し得る。ブロック312において、構成情報を送信することは、基地局に接続された任意のUEに適用可能なセル固有の情報を送信することを随意に含み得る。たとえば、多重化構成要素170は、セル固有の情報を送信し得る。ブロック314において、構成情報を送信することは、単一のUEまたは特定のUEのグループに適用可能なUE固有の情報を送信することを随意に含み得る。たとえば、多重化構成要素170は、UE固有の情報を送信し得る。
【００５７】
ブロック320において、方法300は、指示メッセージがeMBBスロット内で送信されることになっていることを基地局によって決定することを含んでもよく、eMBBスロットのミニスロットの少なくとも一部を示す指示メッセージは、URLLCのために使用されることになっている。たとえば、一態様では、基地局105は、指示メッセージ262がeMBBスロット内で送信されることになっていると決定するために指示構成要素172を実行し得る。指示構成要素172は、eMBBスロットのミニスロット215の少なくとも一部がURLLCのために使用されることになっていると決定し得る。たとえば、指示構成要素172は、URLLCのレイテンシ要件に基づいてミニスロット内のURLLCをスケジュールし得る。別の例では、指示構成要素172は、近接セルがミニスロット内のURLLCを送信することになっていることと、指示メッセージがURLLCのために送信されるべきであることと決定してもよい。
【００５８】
ブロック330において、方法300は、その決定に基づいて1つまたは複数のリソースを指示チャネルに割り振るステップを含んでもよく、割り振られた1つまたは複数のリソースは、ミニスロットの少なくとも一部がURLLCのために使用されることになっているミニスロットと同じミニスロット内にある。一態様では、たとえば、基地局105は、その決定に基づいて1つまたは複数のリソースを指示チャネル260に割り振るために、割振り構成要素174を実行してもよい。割り振られた1つまたは複数のリソースは、ミニスロットの少なくとも一部がURLLC送信のために使用されることになっているミニスロットと同じミニスロット215内にあり得る。たとえば、ミニスロットの第1の部分(たとえば、周波数領域内のリソース)は、指示チャネルのために使用されてもよく、ミニスロットの第2の部分(たとえば、周波数領域内の残りのリソース)は、URLLCのために使用されてもよい。ブロック332において、割振り構成要素174は、eMBBスロット内のミニスロットの構成されたサブセット内の1つまたは複数のリソースを指示チャネルに割り振り得る。たとえば、図2に示すように、ミニスロットの構成されたサブセットは、eMBBスロット200の第3、第6および第9のミニスロット215を含み得る。割振り構成要素174はまた、1つまたは複数のリソースをURLLCに割り振り得る。URLLCに割り振られた1つまたは複数のリソースは、前にeMBB通信に割り振られたリソースであり得る。
【００５９】
ブロック340において、方法300は、割り振られた1つまたは複数のリソースを使用して指示チャネル上のミニスロットの間に指示メッセージを送信するステップを含み得る。たとえば、基地局105は、割り振られた1つまたは複数のリソースを使用して指示チャネル上のミニスロットの間に指示メッセージを送信するために送信構成要素176を実行し得る。一態様では、指示メッセージは、eMBB通信と同じヌメロロジーを使用し得る。したがって、eMBB通信を受信して復号するように構成されたUEはまた、指示チャネルを受信して復号し得る。ブロック342において、指示メッセージを送信することは、特定のUEまたは特定のUEのグループに指示メッセージを送信することを随意に含み得る。たとえば、送信構成要素176は、ミニスロットの間にeMBB通信を受信するようにスケジュールされた指示チャネルをUEに送信し得る。送信構成要素176は、特定のUEまたは特定のUEのグループの識別子を使用して指示チャネルをスクランブルし得る。ブロック344において、指示メッセージを送信することは、セル固有の指示メッセージを、基地局によってサービスされる任意のUEにブロードキャストすることを含み得る。
【００６０】
ブロック350において、方法300は、ミニスロットの少なくとも一部の間にURLLCを送信するステップを随意に含み得る。たとえば、基地局105は、ミニスロットの少なくとも一部の間にURLLCを送信するために送信構成要素186を実行し得る。URLLCは、eMBBスロットのミニスロットの少なくとも一部を使用してeMBBに対する送信をパンクチャリングし得る。たとえば、eMBBスロットの最初にスケジュールされたシンボルに対するデータを含む代わりに、ミニスロットは、URLLCデータを含んでもよい。eMBBスロットは、依然として、eMBBスロット内の他のシンボルに基づいて復号され得る。
【００６１】
図4を参照すると、たとえば、指示チャネルを受信するための上記で説明した態様に従って動作するUE110内のワイヤレス通信の方法400は、本明細書で定義するアクションのうちの1つまたは複数を含む。
【００６２】
たとえば、ブロック410において、方法400は、eMBBスロットのどのミニスロットが指示チャネルのためにモニタされることになっているかを示す構成情報を受信するステップを随意に含む。たとえば、一態様では、UE110は、本明細書で説明するように、eMBBスロットのどのミニスロットが指示チャネルのためにモニタされることになっているかを示す構成情報を受信するために、指示構成要素150を実行し得る。
【００６３】
ブロック420において、方法400は、eMBBスロットのミニスロットの間に指示チャネルをモニタするステップを含み得る。たとえば、一態様では、UE110は、eMBBスロットのミニスロットの間に指示チャネルをモニタするためにモニタリング構成要素152を実行し得る。ブロック422において、指示チャネルをモニタすることは、ブロック410において構成情報内で受信されたミニスロットの構成されたサブセットをモニタすることを随意に含み得る。たとえば、モニタリング構成要素152は、構成情報内で受信されたミニスロットの構成されたサブセットをモニタし得る。別の態様では、ブロック424において、指示チャネルをモニタすることは、基地局のRNTIに基づいて指示チャネルをモニタすることを随意に含み得る。たとえば、RNTIは、サービング基地局のC-RNTIまたは1つまたは複数の近接基地局の1つまたは複数のCI-RNTIを含み得る。モニタリング構成要素152は、基地局のRNTIに基づいて指示チャネルをモニタし得る。
【００６４】
ブロック430において、方法400は、指示メッセージが指示チャネル上で受信されるかどうかを決定するステップを含んでもよく、ミニスロットの少なくとも一部を示す指示メッセージは、URLLC送信のために使用される。たとえば、一態様では、UE110は、指示メッセージが指示チャネル上で受信されるかどうかを決定するために復号構成要素154を実行し得る。たとえば、復号構成要素154は、指示チャネルに対して示されたリソース上の信号を受信して、信号を復号することを試みてもよい。復号構成要素154がその信号を復号できない場合、復号構成要素154は、指示メッセージは受信されなかったと決定してもよい。復号構成要素154がその信号を復号できる場合、復号構成要素154は、指示メッセージが受信されて、メッセージから何らかのコンテンツを抽出すると決定してもよい。一態様では、復号構成要素は、異なる近接セルに関連するCI-RNTIのセットの各々を使用して信号をブラインド復号することを試みてもよい。したがって、復号構成要素154は、サービングセルまたは近接セルから指示メッセージを受信してもよい。
【００６５】
ブロック440において、方法400は、指示メッセージが受信されるかどうかに基づいてミニスロットの少なくとも一部を処理するステップを含み得る。たとえば、UE110は、指示メッセージが受信されるかどうかに基づいて、LLRバッファ156内に記憶されているLLRを処理し得る。処理することはまた、UEがeMBB通信のために構成されているかまたはURLLCのために構成されているかに基づく場合がある。処理することのさらなる詳細は、図5に関して説明される。たとえば、UEがeMBB通信のために構成され、指示メッセージが受信されない場合、処理することは、受信された信号をLLRバッファ156内に記憶すること、および信号を復号することを試みることを含み得る。別の例として、UEがeMBB通信のために構成され、サービング基地局からの指示メッセージが、時間/周波数リソースのセットがURLLCによってパンクチャリングされることを示す場合、UEは、示されるリソース上のデータをそれ以上処理しない(たとえば、UEは、復調、復号などを実行しない)。代わりに、UEは、単に、これらのリソースに関連付けられたLLRはゼロであると仮定してもよい。さらなる処理を回避することによって、eMBB UEは電力を節約することができる。近接セルからの指示メッセージが受信される場合、処理することは、その指示に基づいて近接セルからの干渉に対処することを含み得る。別の例として、UEがURLLCのために構成され、指示メッセージが受信されない場合、処理することは、UEが指示チャネルを復号できる場合に、ミニスロットの一部に基づいてURLLC送信を復号しないと決定することを含み得る。指示メッセージを復号できないUE(たとえば、指示メッセージがeMBBヌメロロジーを使用し、そのヌメロロジーに対してUEが構成されないため)は、依然として、URLLC制御チャネル240およびURLLCデータチャネル250をモニタして復号してもよい。UEがURLLCのために構成され、指示メッセージが受信される場合、処理することは、ミニスロットの一部の中で受信されたURLLC送信を復号することを含み得る。
【００６６】
図5を参照すると、指示チャネルに基づいてミニスロットの少なくとも一部を処理するために上記で説明した態様に従って動作するUE110の方法500は、本明細書で定義するアクションのうちの1つまたは複数を含む。一態様では、方法500は、方法400(図4)のブロック440に対応し得る。
【００６７】
ブロック510において、方法500は、指示メッセージが指示チャネル上で受信されるかどうかを決定するステップを含み得る。一態様では、たとえば、指示構成要素150は、指示メッセージが指示チャネル260上で受信されるかどうかを決定してもよい。指示メッセージが受信されない場合、方法500は、ブロック520に進むことができる。指示メッセージが受信される場合、方法500は、ブロック530に進むことができる。
【００６８】
ブロック520において、方法500は、eMBBスロットを復号するためにミニスロットの一部に対応するLLR値を記憶するステップを含み得る。たとえば、LLRバッファ156は、eMBBスロットを復号するためにミニスロットの一部に対応するLLR値を記憶し得る。復号構成要素154は、LLR値を、他のミニスロット内で受信された他のLLR値とともに復号し得る。URLLC通信はミニスロット内のeMBB送信をパンクチャリングしていないので、LLR値は復号を改善し得る。
【００６９】
ブロック522において、方法500は、ミニスロットの一部に基づいてURLLC送信を復号しないと決定するステップを含み得る。たとえば、復号構成要素154は、ミニスロットの一部に基づいてURLLC送信を復号しないと決定し得る。ミニスロット内のデータは、eMBBヌメロロジーに続くeMBBデータであり得る。したがって、復号構成要素154は、eMBBデータをURLLC送信として復号することを回避してもよい。なぜならば、そのような試みは成功しないからである。
【００７０】
ブロック530において、方法500は、ミニスロットがUEに対するURLLC送信を含むかどうかを決定するステップを含み得る。一態様では、たとえば、モニタリング構成要素152は、指示チャネル260および/またはURLLC制御チャネル240に基づいてミニスロットがUE110に対するURLLCを含むかどうかを決定し得る。たとえば、モニタリング構成要素152は、指示チャネル260またはURLLC制御チャネル240がUE110の識別子を含むと決定し得る。対照的に、UE110がURLLCのためにスケジュールされない場合、モニタリング構成要素152は、URLLC通信はUE110に対するものではないと決定し得る。加えて、指示チャネル260が別の基地局からの干渉を示す(たとえば、指示チャネル260が近接基地局のCI-RNTIで復号される)場合、UE110は、URLLC通信はUE110に対するものではないと決定し得る。URLLCがUE110に対するものである場合、方法500は、ブロック540に進むことができる。URLLCがUE110に対するものでない場合、方法500は、ブロック532に進むことができる。
【００７１】
ブロック532において、方法500は、ミニスロットの少なくとも一部に対応するLLRをゼロにするステップを含み得る。一態様では、たとえば、復号構成要素154は、ミニスロットに対するLLRバッファ156内に記憶されているLLRをゼロにしてもよい。記憶されているLLRは、UEに対するものではないURLLC通信に対応するので、LLRをゼロにすることによって、不正確な情報は、eMBBスロットの復号に対してそれほど影響を及ぼさないことになる。
【００７２】
ブロック534において、方法500は、URLLCがミニスロット内にあると指示メッセージが宣言するとき、ミニスロットの処理を停止するステップを含み得る。たとえば、復号構成要素154は、URLLCがミニスロット内の任意のeMBBシンボルをパンクチャリングし得るので、ミニスロットの処理を停止してもよい。したがって、復号構成要素154は、ミニスロットの処理を停止することによってエネルギーを節約し得る。
【００７３】
ブロック540において、方法500は、ミニスロットの一部の中に受信されたURLLC送信を復号するステップを含み得る。一態様では、たとえば、復号構成要素154は、ミニスロットの一部の中に受信されたURLLC送信を復号し得る。復号することは、URLLC制御チャネル240を復号することと、URLLC制御チャネル240に基づいてURLLCデータチャネル250を復号することとを含み得る。加えて、この場合、eMBB送信とURLLC送信の両方は、同じUEに対するものであってもよい。復号構成要素154は、eMBB送信を復号するときに、ミニスロットの一部に関連付けられたLLRをゼロに設定してもよい。
【００７４】
図6を参照すると、UE110の一実装形態の一例は、様々な構成要素を含んでよく、そのうちのいくつかが上記ですでに説明されているが、受信された指示チャネルに基づいてミニスロットを処理することに関連する、本明細書で説明する機能のうちの1つまたは複数を可能にするために、モデム140および指示構成要素150と連携して動作し得る、1つまたは複数のバス644を介して通信中の、1つまたは複数のプロセッサ612、メモリ616、およびトランシーバ602などの構成要素を含む。さらに、1つまたは複数のプロセッサ612、モデム140、メモリ616、トランシーバ602、RFフロントエンド688、および1つまたは複数のアンテナ665は、1つまたは複数の無線アクセス技術において(同時にまたは非同時に)音声呼および/またはデータ呼をサポートするように構成され得る。
【００７５】
一態様では、1つまたは複数のプロセッサ612は、1つまたは複数のモデムプロセッサを使用するモデム140を含むことができる。指示構成要素150に関連する様々な機能は、モデム140および/またはプロセッサ612に含まれてもよく、一態様では、単一のプロセッサによって実行されてもよく、他の態様では、機能のうちの異なる機能が2つ以上の異なるプロセッサの組合せによって実行されてもよい。たとえば、一態様では、1つまたは複数のプロセッサ612は、モデムプロセッサ、またはベースバンドプロセッサ、またはデジタル信号プロセッサ、または送信機プロセッサ、または受信機プロセッサ、またはトランシーバ602に関連付けられたトランシーバプロセッサのうちの任意の1つまたは任意の組合せを含み得る。他の態様では、指示構成要素150に関連付けられた1つまたは複数のプロセッサ612および/またはモデム140の特徴のうちのいくつかは、トランシーバ602によって実行され得る。
【００７６】
また、メモリ616は、本明細書で使用するデータおよび/またはアプリケーション675のローカルバージョン、あるいは指示構成要素150および/または少なくとも1つのプロセッサ612によって実行されるそのサブ構成要素のうちの1つもしくは複数を記憶するように構成され得る。メモリ616は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたは少なくとも1つのプロセッサ612によって使用可能な任意のタイプのコンピュータ可読媒体を含むことができる。一態様では、たとえば、メモリ616は、UE110が指示構成要素150および/またはそのサブ構成要素のうちの1つもしくは複数を実行するために少なくとも1つのプロセッサ612を動作させているとき、指示構成要素150および/またはそのサブ構成要素のうちの1つもしくは複数を定義する1つまたは複数のコンピュータ実行可能コード、ならびに/あるいはそれに関連付けられたデータを記憶する非一時的コンピュータ可読記憶媒体であり得る。
【００７７】
トランシーバ602は、少なくとも1つの受信機606および少なくとも1つの送信機608を含み得る。受信機606は、データを受信するためにプロセッサによって実行可能なハードウェア、ファームウェア、および/またはソフトウェアコードを含むことができ、コードは命令を備え、メモリ(たとえば、コンピュータ可読媒体)に記憶される。受信機606は、たとえば、無線周波数(RF)受信機であり得る。一態様では、受信機606は、少なくとも1つの基地局105によって送信された信号を受信し得る。加えて、受信機606は、そのような受信信号を処理することができ、限定はしないが、Ec/Io、SNR、RSRP、RSSIなどの、信号の測定値を取得することもできる。送信機608は、データを送信するためにプロセッサによって実行可能なハードウェア、ファームウェア、および/またはソフトウェアコードを含むことができ、コードは命令を備え、メモリ(たとえば、コンピュータ可読媒体)に記憶される。送信機608の適切な例は、限定はしないが、RF送信機を含み得る。
【００７８】
さらに、一態様では、UE110は、1つまたは複数のアンテナ665と通信して動作し得るRFフロントエンド688と、無線送信、たとえば、少なくとも1つの基地局105によって送信されたワイヤレス通信またはUE110によって送信されたワイヤレス送信を受信および送信するためのトランシーバ602とを含み得る。RFフロントエンド688は、1つまたは複数のアンテナ665に接続されてもよく、RF信号を送信および受信するために、1つまたは複数の低雑音増幅器(LNA)690と、1つまたは複数のスイッチ692と、1つまたは複数の電力増幅器(PA)698と、1つまたは複数のフィルタ696とを含むことができる。
【００７９】
一態様では、LNA690は、所望の出力レベルで受信信号を増幅することができる。一態様では、各LNA690は、指定された最小および最大の利得値を有することができる。一態様では、RFフロントエンド688は、特定のアプリケーションの所望の利得値に基づいて、特定のLNA690およびその指定された利得値を選択するために、1つまたは複数のスイッチ692を使用することができる。
【００８０】
さらに、たとえば、1つまたは複数のPA698は、RF出力の信号を所望の出力電力レベルで増幅するために、RFフロントエンド688によって使用され得る。一態様では、各PA698は、指定された最小および最大の利得値を有することができる。一態様では、RFフロントエンド688は、特定のアプリケーションの所望の利得値に基づいて、特定のPA698およびその指定された利得値を選択するために、1つまたは複数のスイッチ692を使用することができる。
【００８１】
また、たとえば、1つまたは複数のフィルタ696は、受信信号をフィルタリングして入力RF信号を取得するために、RFフロントエンド688によって使用され得る。同様に、一態様では、たとえば、それぞれのフィルタ696は、それぞれのPA698からの出力をフィルタリングして送信用の出力信号を生成するために使用され得る。一態様では、各フィルタ696は、特定のLNA690および/またはPA698に接続され得る。一態様では、RFフロントエンド688は、トランシーバ602および/またはプロセッサ612によって指定された構成に基づいて、指定されたフィルタ696、LNA690、および/またはPA698を使用して送信経路または受信経路を選択するために、1つまたは複数のスイッチ692を使用することができる。
【００８２】
したがって、トランシーバ602は、RFフロントエンド688を介して1つまたは複数のアンテナ665を通じてワイヤレス信号を送信および受信するように構成され得る。一態様では、UE110が、たとえば、1つもしくは複数の基地局105、または1つもしくは複数の基地局105に関連付けられた1つもしくは複数のセルと通信することができるように、トランシーバは、指定された周波数で動作するように同調され得る。一態様では、たとえば、モデム140は、UE110のUE構成およびモデム140によって使用される通信プロトコルに基づいて、指定された周波数および電力レベルで動作するようにトランシーバ602を構成することができる。
【００８３】
一態様では、モデム140は、デジタルデータがトランシーバ602を使用して送られ受信されるように、デジタルデータを処理し、トランシーバ602と通信することができる、マルチバンドマルチモードモデムとすることができる。一態様では、モデム140は、マルチバンドとすることができ、特定の通信プロトコルに対して複数の周波数帯域をサポートするように構成され得る。一態様では、モデム140は、マルチモードとすることができ、複数の動作ネットワークおよび通信プロトコルをサポートするように構成され得る。一態様では、モデム140は、指定されたモデム構成に基づいてネットワークからの信号の送信および/または受信を可能にするために、UE110の1つまたは複数の構成要素(たとえば、RFフロントエンド688、トランシーバ602)を制御することができる。一態様では、モデム構成は、モデムのモードおよび使用中の周波数帯域に基づき得る。別の態様では、モデム構成は、セル選択および/またはセル再選択中にネットワークによって提供される、UE110に関連付けられたUE構成情報に基づき得る。
【００８４】
図7を参照すると、基地局105の一実装形態の一例は、様々な構成要素を含んでよく、そのうちのいくつかが上記ですでに説明されているが、現在のミニスロットがURLLC送信を含むかどうかを示す指示チャネルを送信することに関して本明細書で説明する機能のうちの1つまたは複数を可能にするために、モデム160および多重化構成要素170と連携して動作し得る、1つまたは複数のバス744を介して通信中の、1つまたは複数のプロセッサ712、メモリ716、およびトランシーバ702などの構成要素を含む。
【００８５】
トランシーバ702、受信機706、送信機708、1つまたは複数のプロセッサ712、メモリ716、アプリケーション775、バス744、RFフロントエンド788、LNA790、スイッチ792、フィルタ796、PA798、および1つまたは複数のアンテナ765は、上記で説明したように、UE110の対応する構成要素と同じまたは同様であってもよいが、UE動作に対立するものとして基地局動作のために構成されるか、または他の方法でプログラムされることがある。
【００８６】
添付の図面に関して上記に記載した詳細な説明は、例について説明しており、実装され得る、または特許請求の範囲の範囲内に入る例のみを表すものではない。「例」という用語は、この説明で使用されるとき、「一例、事例、または例示として働くこと」を意味し、「好ましい」、または「他の例よりも有利である」ことを意味するわけではない。この詳細な説明は、説明した技法の理解を可能にする目的で、具体的な詳細を含む。しかしながら、これらの技法は、これらの具体的な詳細を伴うことなく実践されることがある。いくつかの事例では、説明した例の概念を不明瞭にすることを回避するために、よく知られている構造および装置がブロック図の形態で示される。
【００８７】
情報および信号は、様々な異なる技術および技法のいずれかを使用して表されてよい。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【００８８】
本開示に関して説明した様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素などの特別にプログラムされたデバイス、または本明細書で説明した機能を実行するように設計されたそれらの任意の組合せを用いて実装または実行され得る。特別にプログラムされたプロセッサは、マイクロプロセッサであってよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装され得る。
【００８９】
本明細書で説明された機能は、ハードウェア、プロセッサによって実行されるソフトウェア、ファームウェア、またはそれらの任意の組合せとして実装されてよい。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して伝送されてもよい。他の例および実装形態は、本開示および添付の特許請求の範囲の範囲および要旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置されてもよい。また、特許請求の範囲を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【００９０】
コンピュータ可読媒体は、コンピュータ記憶媒体と、ある場所から別の場所へのコンピュータプログラムの移転を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備え得る。また、どのような接続もコンピュータ可読媒体と呼ばれるのにふさわしい。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)、およびBlu-ray(登録商標)ディスク(disc)を含み、ここで、ディスク(disk)は、通常、データを磁気的に再生し、ディスク(disc)は、レーザーを用いてデータを光学的に再生する。上記の組合せも、コンピュータ可読媒体の範囲内に含まれる。
【００９１】
本開示の前述の説明は、当業者が本開示を作成または使用することができるように与えられる。本開示に対する様々な変更が、当業者には容易に明らかになり、本明細書において規定される一般原理は、本開示の趣旨または範囲を逸脱することなく、他の変形形態に適用され得る。さらに、説明した態様および/または実施形態の要素は、単数形で説明または特許請求されている場合があるが、単数形への限定が明示的に述べられていない限り、複数形が企図される。加えて、特に明記しない限り、任意の態様および/または実施形態のすべてまたは一部は、任意の他の態様および/または実施形態のすべてまたは一部とともに利用され得る。したがって、本開示は、本明細書で説明した例および設計に限定されるべきではなく、本明細書で開示した原理および新規の特徴と一貫する最も広い範囲を与えられるべきである。
【符号の説明】
【００９２】
100  ワイヤレス通信ネットワーク
105  基地局
110  ユーザ機器(UE)
115  コアネットワーク
120  バックホールリンク
125  バックホールリンク
130  地理的カバレージエリア
135  ワイヤレス通信リンク
140  モデム
150  指示構成要素
152  モニタリング構成要素
154  復号構成要素
156  LLRバッファ
160  モデム
170  多重化構成要素
172  指示構成要素
174  割振り構成要素
176  送信構成要素
200  拡張モバイルブロードバンド(eMBB)スロット
210  eMBBシンボル期間
215  ミニスロット
220  eMBB制御チャネル
230  eMBBデータチャネル
240  超高信頼低レイテンシ通信(URLLC)制御チャネル
250  URLLCデータチャネル
260  指示チャネル
262  指示メッセージ
602  トランシーバ
606  受信機
608  送信機
612  プロセッサ
616  メモリ
644  バス
665  アンテナ
688  RFフロントエンド
690  低雑音増幅器(LNA)
692  スイッチ
696  フィルタ
698  電力増幅器(PA)
702  トランシーバ
706  受信機
708  送信機
712  プロセッサ
716  メモリ
744  バス
765  アンテナ
775  アプリケーション
788  RFフロントエンド
790  LNA
792  スイッチ
796  フィルタ
798  PA
【図１】
2020506606.tif 000003
【図２】
2020506606.tif 000004
【図３】
2020506606.tif 000005
【図４】
2020506606.tif 000006
【図５】
2020506606.tif 000007
【図６】
2020506606.tif 000008
【図７】
2020506606.tif 000009
【国際調査報告】
2020506606.tif 000010
2020506606.tif 000011